(57)【要約】【課題】係止部品を廃止して部品点数を削減できるとともに、組み立て作業が容易になり、さらに、製造価格を低減すること。【解決手段】この発明に係る空気調和機の室内機は、ベースの前面に装着されて前面及び上面に吸込口を設け、前面下部に吹出口を設けた本体パネルと、本体パネルの上面の吸込口の上面に取り付けられた天面パネルとを有する空気調和機の室内機において、天面パネルの先端に突き出し部を設け、本体パネル側に設けた受け部に差し込むことによって天面パネルの先端の位置決めとすると共に、天面パネル及び本体パネルの何れか一方に固定用穴を、天面パネル及び本体パネルの何れか他方に固定用突起部を設け、固定用突起部を固定用穴に挿入することにより本体パネルに天面パネルを固定することを特徴とする。【選択図】　　　　図１
2004069105.tif 000002
【特許請求の範囲】
【請求項１】
ベースの前面に装着されて前面及び上面に吸込口を設け、前面下部に吹出口を設けた本体パネルと、前記本体パネルの上面の吸込口の上面に取り付けられた天面パネルとを有する空気調和機の室内機において、前記天面パネルの先端に突き出し部を設け、前記本体パネル側に設けた受け部に差し込むことによって前記天面パネルの先端の位置決めとすると共に、前記天面パネル及び前記本体パネルの何れか一方に固定用穴を、前記天面パネル及び前記本体パネルの何れか他方に固定用突起部を設け、前記固定用突起部を前記固定用穴に挿入することにより前記本体パネルに前記天面パネルを固定することを特徴とする空気調和機の室内機。
【請求項２】
前記固定用穴または固定用突起部が前記本体パネルの前面及び天井面ならびに前記天面パネルの前面及び天井面に設けられたことを特徴とする請求項１に記載の空気調和機の室内機。
【請求項３】
前記固定用穴と前記固定用突起部による固定部を複数箇所に設けたことを特徴とする請求項１又は請求項２に記載の空気調和機の室内機。
【請求項４】
前記本体パネル又は前記天面パネルの前記固定用穴又は前記固定用突起部が矢印記号と同じ形状であることを特徴とする請求項１又は請求項２に記載の空気調和機の室内機。
【請求項５】
前記矢印記号は、前記天面パネルを取り外す方向を示すものとしたことを特徴とする請求項４に記載の空気調和機の室内機。
【請求項６】
前記矢印記号は、前記天面パネルを取り付ける方向を示すものとしたことを特徴とする請求項４に記載の空気調和機の室内機。
【請求項７】
前記固定用穴が前記天面パネルの前面に設けられたとき、前記本体パネルの前記固定用突起部が見えることを特徴とする請求項２に記載の空気調和機の室内機。
【請求項８】
ベースの前面に装着されて前面及び上面に吸込口を設け、前面下部に吹出口を設けた本体パネルと、前記本体パネルの上面の吸込口の上面に取り付けられた天面パネルとを有する空気調和機の室内機の組立方法において、前記天面パネルの先端に設けた突き出し部を、前記本体パネル側に設けた受け部に差し込むことによって前記天面パネルの先端の位置決めをする工程と、
前記天面パネル及び前記本体パネルの何れか一方に設けた固定用穴に、前記天面パネル及び前記本体パネルの何れか他方に設けた固定用突起部を挿入して前記本体パネルに前記天面パネルを固定する工程と、
を備えたことを特徴とする空気調和機の室内機の組立方法。
【請求項９】
ベースの前面に装着されて前面及び上面に吸込口を設け、前面下部に吹出口を設けた本体パネルと、前記本体パネルの上面の吸込口の上面に取り付けられた天面パネルとを有する空気調和機の室内機の組立方法において、前記天面パネルの先端に設けた突き出し部を、前記本体パネル側に設けた受け部に差し込むことによって前記天面パネルの先端の位置決めをする工程と、
前記天面パネルの前面及び前記本体パネルの前面の何れか一方に設けた固定用穴に、前記天面パネルの前面及び前記本体パネルの前面の何れか他方に設けた固定用突起部を挿入し、前記天面パネルの天井面及び前記本体パネルの天井面の何れか一方に設けた固定用穴に、前記天面パネルの天井面及び前記本体パネルの天井面の何れか他方に設けた固定用突起部を挿入して前記本体パネルに前記天面パネルを固定する工程と、
を備えたことを特徴とする空気調和機の室内機の組立方法。
【発明の詳細な説明】
【０００１】
【発明の属する技術分野】
この発明は、空気調和機の室内ユニットに係り、詳しくは上面の吸込み口に配する部品の本体への取り付け構造及び組立方法に関するものである。
【０００２】
【従来の技術】
図５〜７は、出願人が特願２００１−２２１６９１号で示した従来の空気調和機の室内機を示す図で、図５は空気調和機の室内機の横断面図、図６は空気調和機の室内機の天面パネル先端部の本体パネル装着部分を示す拡大断面図、図７は空気調和機の室内機の係止部品の装着部を示す斜視図である。
図５に示すように、この空気調和機の室内機は、前面及び上面に吸込口３ａ，３ｂを有する本体パネル５と、本体パネル５の前面に着脱・開閉自在に取り付けられた前面吸込グリル６と、本体パネル５の上面に取り付けられた天面パネル７とを有し、天面パネル７が本体パネル５に係止部品１３によって着脱可能に配置されている。
【０００３】
次に動作について説明する。図６において、本体パネル５の上に天面パネル７がかぶさり、天面パネル７の先端部に設けられた突き出し部７ａを、本体パネル５側に設けた受け部５ａに差し込み、天面パネル７の先端部を位置決めする。
また、図７において、係止部品１３は天面パネル７と本体パネル５の双方に設けた固定用穴７ｂ，５ｃを貫通して挿入された後、横方向にスライドさせることによって天面パネル７と本体パネル５を挟み込んで天面パネル７を固定している。
【０００４】
【発明が解決しようとする課題】
従来の空気調和機の室内機は以上のように構成されているので、天面パネル７を着脱可能にする構造が複雑で、部品点数が多く、組み立て作業の手間が増える、また、製造コストが悪化する等の問題点があった。
【０００５】
この発明は上記のような問題点を解消するためになされたもので、係止部品を廃止して部品点数を削減できるとともに、組み立て作業が容易になり、さらに、製造価格を低減することを目的とする。
【０００６】
【課題を解決するための手段】
この発明に係る空気調和機の室内機は、ベースの前面に装着されて前面及び上面に吸込口を設け、前面下部に吹出口を設けた本体パネルと、本体パネルの上面の吸込口の上面に取り付けられた天面パネルとを有する空気調和機の室内機において、天面パネルの先端に突き出し部を設け、本体パネル側に設けた受け部に差し込むことによって天面パネルの先端の位置決めとすると共に、天面パネル及び本体パネルの何れか一方に固定用穴を、天面パネル及び本体パネルの何れか他方に固定用突起部を設け、固定用突起部を固定用穴に挿入することにより本体パネルに天面パネルを固定することを特徴とする。
【０００７】
また、この発明に係る空気調和機の室内機は、固定用穴または固定用突起部が本体パネルの前面及び天井面ならびに天面パネルの前面及び天井面に設けられたことを特徴とする。
【０００８】
また、この発明に係る空気調和機の室内機は、固定用穴と固定用突起部による固定部を複数箇所に設けたことを特徴とする。
【０００９】
また、この発明に係る空気調和機の室内機は、本体パネル又は天面パネルの固定用穴又は固定用突起部が矢印記号と同じ形状であることを特徴とする。
【００１０】
また、この発明に係る空気調和機の室内機は、矢印記号が天面パネルを取り外す方向を示すものとしたことを特徴とする。
【００１１】
また、この発明に係る空気調和機の室内機は、矢印記号が天面パネルを取り付ける方向を示すものとしたことを特徴とする。
【００１２】
また、この発明に係る空気調和機の室内機は、固定用穴が天面パネルの前面に設けられたとき、本体パネルの固定用突起部が見えることを特徴とする。
【００１３】
この発明に係る空気調和機の室内機の組立方法は、ベースの前面に装着されて前面及び上面に吸込口を設け、前面下部に吹出口を設けた本体パネルと、前記本体パネルの上面の吸込口の上面に取り付けられた天面パネルとを有する空気調和機の室内機の組立方法において、天面パネルの先端に設けた突き出し部を、本体パネル側に設けた受け部に差し込むことによって天面パネルの先端の位置決めをする工程と、天面パネル及び本体パネルの何れか一方に設けた固定用穴に、天面パネル及び前記本体パネルの何れか他方に設けた固定用突起部を挿入して本体パネルに前記天面パネルを固定する工程と、を備えたことを特徴とする。
【００１４】
また、この発明に係る空気調和機の室内機の組立方法は、ベースの前面に装着されて前面及び上面に吸込口を設け、前面下部に吹出口を設けた本体パネルと、前記本体パネルの上面の吸込口の上面に取り付けられた天面パネルとを有する空気調和機の室内機の組立方法において、天面パネルの先端に設けた突き出し部を、本体パネル側に設けた受け部に差し込むことによって天面パネルの先端の位置決めをする工程と、天面パネルの前面及び本体パネルの前面の何れか一方に設けた固定用穴に、天面パネルの前面及び本体パネルの前面の何れか他方に設けた固定用突起部を挿入し、天面パネルの天井面及び本体パネルの天井面の何れか一方に設けた固定用穴に、天面パネルの天井面及び本体パネルの天井面の何れか他方に設けた固定用突起部を挿入して本体パネルに天面パネルを固定する工程と、を備えたことを特徴とする。
【００１５】
【発明の実施の形態】
以下、この発明の実施の形態を図面に基づいて説明する。
実施の形態１．
図１〜４は実施の形態１を示す図で、図１は空気調和機の室内機の横断面図、図２は空気調和機の室内機の要部分解斜視図、図３は天面パネルが本体パネルに装着された状態の拡大断面図、図４は天面パネルと本体パネルの固定部分の拡大斜視図である。
【００１６】
図１に示すように、本体１は、ベース２と、ベース２の前面に装着されて前面及び上面に吸込口３ａ，３ｂを有し、前面下部に吹出口４を備えた本体パネル５と、本体パネル５の前面に着脱、開閉自在に取付けられた前面吸込グリル６と、本体パネル５の上面の吸込口３ｂの上面に取り付けられた天面パネル７と、前面及び上面の吸込口３ａ，３ｂから吹出口４へ連通するように形成された空気通路８と、本体パネル５に設けられた溝をガイドに前面吸込グリル６及び天面パネル７の内側に沿わせて着脱可能に設置され前面の吸込口３ａ及び上面の吸込口３ｂを合わせた長さを有するエアフィルタ９と、３分割された熱交換器（空気通路８上部で前方傾斜している上部熱交換器１０ａ、上部熱交換器１０ａに連接し空気通路８奥部へ傾斜している後部熱交換器１０ｂ、上部熱交換器１０ａ下部に連接し垂直に設置している下部熱交換器１０ｃ）と、送風ファン１１と、吹出口４の出口開口部に設置された風向板１２とから構成されている。
【００１７】
図２は空気調和機の室内機の要部分解斜視図で、図に示すように、天面パネル７は本体パネル５の上面の吸込口３ｂの上面にかぶさり本体パネル５に取り付けられる。また、前面吸込グリル６は本体パネル５の前面に着脱、開閉自在に取付けられる。
【００１８】
図３は天面パネルが本体パネルに装着された状態の拡大断面図で、図に示すように、天面パネル７のベース２側の先端には天面パネル７の横幅全体にわたり突き出した突き出し部７ａが設けられ、また、本体パネル５の取り付け部にはこの突き出し部７ａが挿入できる受け部５ａが形成されていて、天面パネル７は突き出し部７ａが受け部５ａに挿入されることにより位置決めが行われる。
【００１９】
また、本体パネル５の吸込口３ｂの上に天面パネル７が被さり、本体パネル５の前面に設けられている固定用突起部５ｂと天面パネル７の前面に開けられている固定用穴７ｂ、及び本体パネル５の天井面に設けられている固定用穴５ｃと天面パネル７の天井面に設けられている固定用突起部７ｃの位置がそれぞれ合わせられ、天面パネル７を本体パネル５に固定する。
【００２０】
上記のように構成することにより、天面パネル７を本体パネル５に固定するための係止部品が不要となり、部品点数が削減し、組み立て作業も容易になる。そのため、製造価格を低減することができる。
【００２１】
また、天面パネル７と本体パネル５の固定用穴及び固定用突起部などの固定部分を前面及び天井面に配置することにより着脱作業の操作が容易になる。
【００２２】
図３では、本体パネル５の前面に固定用突起部５ｂを設け、天面パネル７の前面に固定用穴７ｂを開け、又本体パネル５の天井面に固定用穴５ｃを設け、天面パネル７の天井面に固定用突起部７ｃを設けたものを示したが、これは一例であり、本体パネル５の前面では、本体パネル５側に固定用穴を開け、天面パネル７側に固定用突起部を設け、又本体パネル５の天井面では、本体パネル５側に固定用突起部を設け、天面パネル７側に固定用穴を開けてもよい。
【００２３】
図３では、天面パネル７の本体パネル５への固定は、左右２箇所のものを示したが、これに限定されるものではない。固定箇所を増やすことにより、取り付け強度を高めることができる。
【００２４】
また、天面パネル７の本体パネル５への固定は、本体パネル５の前面及びその近傍の天井面に限定されるものではない。
【００２５】
図４は天面パネル７と本体パネル５の固定部分の拡大斜視図であるが、図に示すように、天面パネル７の固定用穴７ｂは、たとえば図示したように取り外す方向を示す矢印形状としてもよく、このような形状とすることによって着脱操作の方向を操作者にわかりやすくするよう意図したものである。
【００２６】
また、天面パネル７に固定用穴７ｂを設けた場合、操作者が本体パネル５の固定用突起部５ｂを見ることができるため、容易に天面パネル７が固定状態であるか否かを確認することができる。
【００２７】
また、天面パネル７の固定用穴７ｂを、取り付け方向を示す矢印形状としてもよい。
また、固定用突起部を矢印形状としてもよい。
【００２８】
【発明の効果】
この発明に係る空気調和機の室内機は、天面パネルの先端に突き出し部を設け、本体パネル側に設けた受け部に差し込むことによって天面パネルの先端の位置決めとすると共に、天面パネル及び本体パネルの何れか一方に固定用穴を、天面パネル及び本体パネルの何れか他方に固定用突起部を設け、固定用突起部を固定用穴に挿入することにより本体パネルに天面パネルを固定することにより、天面パネルを本体パネルに固定するための係止部品が不要となり、部品点数が削減し、組み立て作業も容易になる。そのため、製造価格を低減することができる。
【００２９】
また、この発明に係る空気調和機の室内機は、固定用穴または固定用突起部を本体パネルの前面及び天井面ならびに天面パネルの前面及び天井面に設けたので、天面パネルの着脱作業の操作が容易になる。
【００３０】
また、この発明に係る空気調和機の室内機は、固定用穴と固定用突起部による固定部を複数箇所に設けたことにより、取り付け強度を高めることができる。
【００３１】
また、この発明に係る空気調和機の室内機は、本体パネル又は天面パネルの固定用穴又は固定用突起部を矢印記号と同じ形状としたので、着脱操作の方向を操作者にわかりやすくすることができる。
【００３２】
また、この発明に係る空気調和機の室内機は、矢印記号が天面パネルを取り外す方向を示すものとしたので、取り外す方向を操作者にわかりやすくすることができる。
【００３３】
また、この発明に係る空気調和機の室内機は、矢印記号が天面パネルを取り付ける方向を示すものとしたので、取り付ける方向を操作者にわかりやすくすることができる。
【００３４】
また、この発明に係る空気調和機の室内機は、固定用穴が天面パネルの前面に設けられたとき、本体パネルの固定用突起部が見えるようにしたので、容易に天面パネルが固定状態であるか否かを確認することができる。
【００３５】
この発明に係る空気調和機の室内機の組立方法は、天面パネルの先端に設けた突き出し部を、本体パネル側に設けた受け部に差し込むことによって天面パネルの先端の位置決めをする工程と、天面パネル及び本体パネルの何れか一方に設けた固定用穴に、天面パネル及び前記本体パネルの何れか他方に設けた固定用突起部を挿入して本体パネルに前記天面パネルを固定する工程と、を備えたことにより、組み立て作業が容易になり、製造価格を低減することができる。
【００３６】
また、この発明に係る空気調和機の室内機の組立方法は、天面パネルの先端に設けた突き出し部を、本体パネル側に設けた受け部に差し込むことによって天面パネルの先端の位置決めをする工程と、天面パネルの前面及び本体パネルの前面の何れか一方に設けた固定用穴に、天面パネルの前面及び本体パネルの前面の何れか他方に設けた固定用突起部を挿入し、天面パネルの天井面及び本体パネルの天井面の何れか一方に設けた固定用穴に、天面パネルの天井面及び本体パネルの天井面の何れか他方に設けた固定用突起部を挿入して本体パネルに天面パネルを固定する工程と、を備えたことにより、組み立て作業が容易になり、製造価格を低減することができる。また、天面パネルの着脱作業の操作が容易になる。
【図面の簡単な説明】
【図１】実施の形態１を示す図で、空気調和機の室内機の横断面図である。
【図２】実施の形態１を示す図で、空気調和機の室内機の要部分解斜視図である。
【図３】実施の形態１を示す図で、天面パネルが本体パネルに装着された状態の拡大断面図である。
【図４】実施の形態１を示す図で、天面パネルと本体パネルの固定部分の拡大斜視図である。
【図５】従来の空気調和機の室内機の横断面図である。
【図６】従来の空気調和機の室内機の天面パネル先端部の本体パネル装着部分を示す拡大断面図である。
【図７】従来の空気調和機の室内機の係止部品の装着部を示す斜視図である。
【符号の説明】
１　本体、２　ベース、３　吸込口、３ａ，３ｂ　吸込口、４　吹出口、５　本体パネル、５ａ　受け部、５ｂ　固定用突起部、５ｃ　固定用穴、６　前面吸込グリル、７　天面パネル、７ａ　突き出し部、７ｂ　固定用穴、７ｃ　固定用突起部、８　空気通路、９　エアフィルタ、１０ａ　上部熱交換器、１０ｂ　後部熱交換器、１０ｃ　下部熱交換器、１１　送風ファン、１２　風向板。
【図１】
2004069105.tif 000003
【図２】
2004069105.tif 000004
【図３】
2004069105.tif 000005
【図４】
2004069105.tif 000006
【図５】
2004069105.tif 000007
【図６】
2004069105.tif 000008
【図７】
2004069105.tif 000009